(57)【要約】【課題】消音手段の凹部で発生する気流音を抑え、かつ狙いの高周波音を大幅に消音できる低騒音の電動送風機を提供することを目的とする。【解決手段】ブレード４を有するインペラ５と、周囲に配置された静翼６を有するエアガイド７と、回転軸８を駆動する電動機９と、中央に吸気口１０を有しインペラ５とエアガイド７を内包するファンケース１１と、排気口１２を有し電動機９を内包した防音筒１３と、電動機９側面に円筒形状を有した消音手段１４とを備え、消音手段１４には２つの凹部１５を電動機９の排気口１６側の円周上に有し、かつ通気性のある蓋１７を凹部１５の開口部に設けた構成とすることにより、通気性のある蓋１７で凹部１５入口付近での気流の乱れが抑えられて気流音が低減され、また、気流の脈動に起因する特定周波数の音は凹部１５での共鳴効果で大幅に消音される。【選択図】図１
2008050992.tif 000002
【特許請求の範囲】
【請求項１】
複数のブレードを有するインペラと、前記インペラの周囲に配置された複数の静翼を有するエアガイドと、前記インペラが固定された回転軸を駆動する電動機と、前記インペラに気流を流入させる吸気口を前面中央に有し前記インペラとエアガイドを内包するファンケースと、排気口を有し前記電動機全体を内包する防音筒と、前記電動機の回転軸方向に所定の深さをもつ凹部を前記電動機の排気口側に所定の幅で円周上に有し電動機の側面に設けた略円筒形の消音手段とを備え、前記消音手段の凹部の開口部には通気性のある蓋を設けた電動送風機。
【請求項２】
通気性のある蓋は、通気性のある素材を消音手段の表面に接着固定して構成した請求項１に記載の電動送風機。
【請求項３】
通気性のある蓋は、通気性のある素材を消音手段と一体成形させて構成した請求項１に記載の電動送風機。
【請求項４】
通気性のある素材は、多孔質素材である請求項２または３に記載の電動送風機。
【請求項５】
多孔質素材は、吸音材である請求項４に記載の電動送風機。
【請求項６】
通気性のある素材は、所定の穴を有する薄板である請求項２または３に記載の電動送風機。
【請求項７】
通気性のある蓋は、蓋と一体化した消音手段に穴を形成し通気性を有する構成とした請求項１に記載の電動送風機。
【請求項８】
請求項１〜７のいずれか１項に記載の電動送風機を用いた電気掃除機。
【発明の詳細な説明】
【技術分野】
【０００１】
本発明は、運転時に発生する高周波音を大幅に消音する電動送風機およびそれを用いた電気掃除機に関するものである。
【背景技術】
【０００２】
従来、この種の電動送風機およびそれを用いた電気掃除機は広く知られている（例えば、特許文献１参照）。
【０００３】
この電動送風機は、インペラを駆動する電動機の外周には、それを覆う防音筒を具備し、防音筒の排気口は電動機の排気口から回転軸方向に離れた位置に備えるとともに、防音筒の内壁にはある特定の深さをもつ凹部を円周上に設けたものである。
【特許文献１】特開２００１−１６５０９７号公報
【発明の開示】
【発明が解決しようとする課題】
【０００４】
しかしながら、前記従来の構成では、電動機の排気口から出た気流が防音筒の凹部を通過する際に、凹部入口付近でその側壁に衝突して気流の乱れが生じ、気流音が発生してしまうという課題を有していた。
【０００５】
本発明は、前記従来の課題を解決するもので、凹部で発生する気流音を抑え、かつ狙いの高周波音を大幅に消音できる低騒音の電動送風機およびそれを用いた電気を提供することを目的とする。
【課題を解決するための手段】
【０００６】
前記従来の課題を解決するために、本発明の電動送風機は、複数のブレードを有するインペラと、前記インペラの周囲に配置された複数の静翼を有するエアガイドと、前記インペラが固定された回転軸を駆動する電動機と、前記インペラに気流を流入させる吸気口を前面中央に有し前記インペラとエアガイドを内包するファンケースと、排気口を有し前記電動機全体を内包する防音筒と、前記電動機の回転軸方向に所定の深さをもつ凹部を前記電動機の排気口側に所定の幅で円周上に有し電動機の側面に設けた略円筒形の消音手段とを備え、前記消音手段の凹部の開口部には通気性のある蓋を設けたものである。
【０００７】
これによって、発生する気流は消音手段の外面に沿ってスムーズに流れるようになり、通気性のある蓋で凹部入口付近での気流の乱れが抑えられて気流音が低減される。また、気流の脈動に起因する特定周波数の音は凹部での共鳴効果で大幅に消音される。
【発明の効果】
【０００８】
本発明の電動送風機は、凹部で発生する気流音を抑え、かつ狙いの高周波音を大幅に低減することができる。
【発明を実施するための最良の形態】
【０００９】
第１の発明は、複数のブレードを有するインペラと、前記インペラの周囲に配置された複数の静翼を有するエアガイドと、前記インペラが固定された回転軸を駆動する電動機と、前記インペラに気流を流入させる吸気口を前面中央に有し前記インペラとエアガイドを内包するファンケースと、排気口を有し前記電動機全体を内包する防音筒と、前記電動機の回転軸方向に所定の深さをもつ凹部を前記電動機の排気口側に所定の幅で円周上に有し電動機の側面に設けた略円筒形の消音手段とを備え、前記消音手段の凹部の開口部には通気性のある蓋を設けた電動送風機とすることにより、発生する気流は消音手段の外面に沿ってスムーズに流れるようになり、通気性のある蓋で凹部入口付近での気流の乱れが抑えられて気流音が低減される。また、気流の脈動に起因する特定周波数の音は凹部での共鳴効果で大幅に消音される。
【００１０】
第２の発明は、特に、第１の発明において、通気性のある蓋は、通気性のある素材を消音手段の表面に接着固定して構成したことにより、容易に通気性のある蓋を設けることができる。
【００１１】
第３の発明は、特に、第１の発明において、通気性のある蓋は、通気性のある素材を消音手段と一体成形させて構成したことにより、通気性のある蓋を接着させる工程がなくなり、製造工程を簡易化することができる。
【００１２】
第４の発明は、特に、第２または第３の発明において、通気性のある素材は、多孔質素材であることにより、材料の選定や加工がしやすくなり、通気性のある蓋を容易に設けることができる。
【００１３】
第５の発明は、特に、第４の発明において、多孔質素材は、吸音材であることにより、凹部での共鳴効果による消音だけでなく、吸音材の吸音効果も同時に得ることができるようになり、消音効果を大幅に向上することができる。
【００１４】
第６の発明は、特に、第２または第３の発明において、通気性のある素材は、所定の穴を有する薄板であることにより、穴径、穴形状といった穴の諸元を始め、穴の加工方法を設計要素として盛り込むことができるため、通気性のある蓋に適した穴の設計が容易になる。
【００１５】
第７の発明は、特に、第１の発明において、通気性のある蓋は、蓋と一体化した消音手段に穴を形成し通気性を有する構成としたことにより、通気性のある蓋と消音手段を１つの材料で作ることができる。
【００１６】
第８の発明は、特に、第１〜第７のいずれか１つの発明の電動送風機を用いた電気掃除機とすることにより、掃除機運転時にインペラで発生する特定周波数の音は電動送風機内で共鳴効果によって大幅に消音され、気流音が増加することなく、低騒音の電気掃除機を提供することができる。
【００１７】
以下、本発明の実施の形態について、図面を参照しながら説明する。なお、この実施の形態によって本発明が限定されるものではない。
【００１８】
（実施の形態）
図１〜図３は、本発明の実施の形態における電動送風機およびそれを用いた電気掃除機を示すものである。
【００１９】
図１に示すように、電動送風機１ａは、板金製の前シュラウド２とこれに対向する後シュラウド３で７枚のブレード４を挟持して構成されたインペラ５と、インペラ５の周囲に配置された１２枚の静翼６を有するエアガイド７と、インペラ５が先端部に固着された回転軸８を駆動する電動機９と、インペラ５に気流を流入させる吸気口１０を前面中央に有しインペラ５とエアガイド７を内包する状態で電動機９に固定されたファンケース１１と、排気口１２を側面に有し電動機９全体を内包する状態でファンケース１１と気密に固定された防音筒１３と、電動機９の側面に設けた略円筒形の消音手段１４とを備えている。
【００２０】
消音手段１４は、電動機９の回転軸方向に所定の深さをもつ凹部１５を電動機９の排気口１６側に所定の幅で円周上に有し、消音手段の凹部１５の開口部には通気性のある蓋１７を設けている。具体的には、凹部１５は、電動機９の回転軸方向に深さがそれぞれ２１ｍｍ、１０．５ｍｍで幅が共に５ｍｍである２つの凹部を有しており、通気性のある蓋１７は、開孔率３０％の薄板であるパンチングメタルを接着固定して構成している。
【００２１】
また、電動機９は、固定子１８を内包し排気口１６を有するフレーム１９、ブラケット２０に、回転子２１を固着した回転軸８を軸受け前２２、軸受け後２３を介して支持しており、整流子２４から回転子２１に電力が供給される。
【００２２】
また、ファンケース１１の内面は、静翼６の上端部と当接し、かつ、図２に示すように、隣り合う静翼６間で独立したボリュート室２５を形成している。
【００２３】
図３において、電気掃除機２６は、本体吸気口２７に連通した集塵室２８と排気口２９を備えた送風室３０を有する掃除機本体３１と、集塵室２８に本体吸気口２７と気密に装着された集塵袋３２と、送風室３０内に設置された電動送風機１ａと、本体吸気口２７に気密に接続されたホース３３と、電気掃除機２６の電源入切や吸引力などの設定を操作するための各種スイッチを有した把持部３４と、床面から塵埃を吸引するための床ノズル３５と、床ノズル３５と把持部３４を気密に接続するための接続管３６から構成されている。
【００２４】
以上のように構成された電動送風機および電気掃除機について、以下その動作、作用を説明する。
【００２５】
まず、整流子２４から回転子２１に電力が供給されて電動機９が駆動しインペラ５が高速回転することで集塵室２８内を負圧状態にする。床ノズル３５が塵埃を含む空気流Ａを吸引し、接続管３６と把持部３４およびホース３３内の風路を通過して本体吸気口２７から集塵袋３２に流入する。集塵袋３２で塵埃から分離された清潔な空気流Ｂは、送風室３０内に設置された電動送風機１ａに吸引されてファンケース１１の吸気口１０からインペラ５へ流入する。流入した空気流Ｃは、高速回転しているインペラ５のブレード４から運動エネルギを与えられ、インペラ５の外周部から排出される。排出された空気流Ｄはエアガイド７に配置された静翼６で形成されるボリュート室２５を通過しながら減速し、運動エネルギを静圧に変換する。空気流Ｄはエアガイド７の裏面の戻り通路を通り、ブラケット２０の連通穴を通り、電動機９内部を通過してフレーム１９に設けられた排気口１６より流出し、電動機９側面に設置された消音手段１４と防音筒１３の間の風路を流れて防音筒１３の排気口１２から流出する。防音筒１３から流出した空気流Ｅは、掃除機本体３１の排気口２９から掃除機本体３１の外部へ排出される。
【００２６】
インペラ５のブレード枚数Ｎは有限であるため内部を通過する気流に圧力脈動を生じる。脈動の周波数はインペラ５の毎秒回転数Ｚとブレード枚数Ｚの積で表され、ＮＺ音と呼ばれる高周波音として発生する。またその倍音である２ＮＺ音、３ＮＺ音以降の高周波音もあわせて発生し、空気伝播、固体伝播しながらあらゆる方向に伝わることができるため、大きな消音効果を得るためには、音源付近の防音筒１３内で消音することが重要となる。電動機９の排気口１６から伝播する特定周波数の音は、消音手段１４に設けられた２つの凹部１５で共鳴することで大幅に消音される。また、空気流は、通気性のある蓋１７の表面に沿って流れるようになるため、消音手段１４の凹部１５での気流の乱れもほとんどなく、気流音も発生が大幅に抑えられる。
【００２７】
高周波音を低減対象とした場合、凹部１５の幅は波長の１／１０程度で十分な効果が得られ、短幅にすることでそれぞれの凹部１５を共鳴空間とし、共鳴周波数がインペラ５で発生するＮＺ音およびその倍音の周波数と等しくなるように凹部１５の深さを設定することで、図４に示すように高周波音を大幅に低減することができる。これは、この凹部１５が音響回路におけるサイドブランチの役割を果たすためであり、凹部１５の深さをＬ［ｍ］とすると、次式で表される共鳴周波数ｆ［Ｈｚ］の音に対して消音効果があるといわれている。
【００２８】
ｆ＝ｃ／４Ｌ  （ｃ：音速［ｍ／ｓ］）
また、電気掃除機の運転モードに応じてインペラ５の毎秒回転数は変わり、発生する高周波音の周波数が異なるため、運転モードを考慮して狙いの周波数を設定し、共鳴周波数が一致するように消音手段１４に凹部１５を設けることで狙いの高周波音を消音することができる。
【００２９】
以上のように、本実施の形態においては消音手段１４の凹部１５側の面にパンチングメタルよりなる通気性のある蓋１７を接着固定した電動送風機１ａとすることにより、電気掃除機の運転時にインペラ５で発生する特定周波数の音は電動送風機１ａ内で共鳴効果によって大幅に消音され、気流音を増加させることなく、低騒音の電気掃除機にすることができる。
【００３０】
本実施の形態では、消音手段１４の表面に通気性のある蓋１７としてパンチングメタルを接着固定する電動送風機１ａの場合で説明したが、図５に示すように、パンチングメタルと消音手段１４を一体成形させた電動送風機１ｂでもよい。この場合、パンチングメタルを消音手段１４に接着させる工程が省け、製造工程を簡易化することができる。また、図６に示すように、消音手段１４の凹部１５にあらかじめ蓋がついた形状に構成し、この蓋に穴あけ加工を施し、通気性のある蓋１７とした電動送風機１ｃでもよく、この場合、１つの材料で消音手段１４と通気性のある蓋１７を作ることができる。
【００３１】
なお、本実施の形態では、通気性のある蓋１７の素材としてパンチングメタルの他、メッシュ素材や多孔質素材を使用することができる。パンチングメタルやメッシュ素材では、穴や目の大きさ、形状など幅広く、適した素材の選定が可能になる。また多孔質素材は、種類も多く加工も容易であるため、凹部１５の入口付近に挿入固定することが可能である。また、多孔質素材としては、軟質ウレタン材などの吸音材も使用することができ、凹部での共鳴効果による消音だけでなく、吸音材の吸音効果も同時に得ることができるようになり、消音効果を大幅に向上することができる。
【産業上の利用可能性】
【００３２】
以上のように、本発明にかかる電動送風機およびそれを用いた電気掃除機は、凹部で発生する気流音を抑え、かつ狙いの高周波音を大幅に低減することができるので、各種機器に用いることができるとともに、家庭用や業務用の電気掃除機に適用することで低騒音化がはかれる。
【図面の簡単な説明】
【００３３】
【図１】本発明の実施の形態における電動送風機の構成を示す断面図
【図２】同電動送風機のインペラとエアガイドの構成を示す平断面図
【図３】同電動送風機を用いた電気掃除機の構成を示す断面図
【図４】同電動送風機を用いた電気掃除機の運転音の音圧レベルを表すグラフ
【図５】同電動送風機の他の構成を示す断面図
【図６】同電動送風機のさらに他の構成を示す断面図
【符号の説明】
【００３４】
１ａ〜１ｃ  電動送風機
４  ブレード
５  インペラ
６  静翼
７  エアガイド
８  回転軸
９  電動機
１０  吸気口
１１  ファンケース
１２、１６  排気口
１３  防音筒
１４  消音手段
１５  凹部
１７  通気性のある蓋
２６  電気掃除機
【図１】
2008050992.tif 000003
【図２】
2008050992.tif 000004
【図３】
2008050992.tif 000005
【図４】
2008050992.tif 000006
【図５】
2008050992.tif 000007
【図６】
2008050992.tif 000008